(57)【要約】【課題】濡れ縁又はウッドデッキを敷設しなくても、高齢者等が日光浴や庭の景観を楽しみ、ストレスを和らげることができる建物を提供する。【解決手段】この建物１は、部屋２の開口部を有する側壁３の外側に、開口部を塞ぐような垂直位置と開口部を開くような水平位置に保持可能とするものであって、両位置間で揺動可能であるように設けられる可動壁４と、天井材６に据えられた２台のウインチ６１を有し、可動壁４の揺動を制御する揺動制御手段と、を備え、可動壁４は、水平位置に保持したとき、その表面が部屋２の床材５の表面と略面一になる。【選択図】図４
2007154644.tif 000002
【特許請求の範囲】
【請求項１】
１の部屋の開口部を有する１つの側壁の外側に、開口部を塞ぐような垂直位置と開口部を開くような水平位置に保持可能とするものであって、両位置間で揺動可能であるように設けられる可動壁と、
該可動壁の揺動を制御する揺動制御手段と、を備え、
前記可動壁は、水平位置に保持したとき、その表面が前記部屋の床材の表面と略面一になることを特徴とする建物。
【請求項２】
請求項１に記載された建物において、
前記揺動制御手段は、前記部屋の天井材の上面左右に据えられた２台のウインチと、それぞれのウインチに連結されたワイヤロープと、を有し、該ワイヤロープが水平面での角度と垂直面での角度を各々変える２個の滑車を通って可動壁に結合されてなることを特徴とする建物。
【請求項３】
請求項１に記載された建物において、
前記可動壁にはシャフトが埋設され、前記揺動制御手段は該シャフトを回転させるモータを有していることを特徴とする建物。
【請求項４】
請求項１乃至３のいずれかに記載された建物において、
前記可動壁は、水平位置に保持する可動壁支持体を裏面に有していることを特徴とする建物。
【請求項５】
請求項１乃至４のいずれかに記載された建物において、
前記可動壁は、折りたたみ可能な手摺りを表面周辺に有することを特徴とする建物。
【請求項６】
請求項５に記載された建物において、
前記手摺りは、前記可動壁の表面の３辺に設けられた各手摺り部分からなり、床材側の反対側に設けられた手摺り部分の回転軸は他の手摺り部分の回転軸よりも可動壁の表面から離れていることを特徴とする建物。
【請求項７】
請求項１乃至６のいずれかに記載された建物において、
前記可動壁の端部に揺動可能に連結された継ぎ床を更に備え、
前記部屋の開口部における床材の端部にサッシ枠が設けられ、
可動壁が水平位置に保持されたとき、継ぎ床がサッシ枠による段差を覆うことを特徴とする建物。
【請求項８】
請求項１乃至６のいずれかに記載された建物において、
前記可動壁が水平位置に保持されたとき、床材の表面及び可動壁の表面と略面一になるように床材に固定された継ぎ床を更に備え、
該継ぎ床と前記可動壁との間には下方に向かって直線的に広がる隙間が設けられていることを特徴とする建物。
【請求項９】
請求項１乃至８のいずれかに記載された建物において、
前記床材の表面及び可動壁の表面にガイドレールが設けられていることを特徴とする建物。
【請求項１０】
請求項１乃至９のいずれかに記載された建物において、
前記部屋の開口部には硝子障子が設けられ、
硝子障子の位置を検知する硝子障子位置センサを更に備え、
硝子障子が閉じられた状態でなければ可動壁が揺動可能とならないことを特徴とする建物。
【請求項１１】
請求項１乃至１０のいずれかに記載された建物において、
前記手摺りの折りたたみを検知する手摺り折りたたみ検知センサを更に備え、
手すりが折りたたまれなければ可動壁が揺動可能とならないことを特徴とする建物。
【発明の詳細な説明】
【技術分野】
【０００１】
本発明は、高齢者等の使用に好適な建物に関する。
【背景技術】
【０００２】
従来より、高齢者、病人、身障者等（以下、高齢者等）が快適に生活できるように色々と工夫された建物が提案又は実用化されてきた。例えば、特許文献１には、出入り可能で開閉可能な開口部である窓のサッシ下枠を室内の床材及び濡れ縁とほぼ同じ高さにし、高齢者等が車椅子に乗ったままでも楽に濡れ縁に移動して日光浴等ができる建物が記載されている。また、特許文献２には、屋内の床材と同じ高さにウッドデッキを敷設し、高齢者等が車椅子に乗ったままでも楽に中庭に出て庭の景観を楽しむことができる建物が記載されている。
【０００３】
【特許文献１】特開平１１−３０３５１１号公報
【特許文献２】特開２００１−３４９０６８号公報
【発明の開示】
【発明が解決しようとする課題】
【０００４】
しかし、特許文献１、２に記載されている濡れ縁又はウッドデッキは、高齢者等への配慮は認められるのであるが、それらを敷設することによりかなりの面積を占有することとなり、それらが敷設される庭は他の用途のために使える面積が狭くなる。また、敷設された濡れ縁又はウッドデッキは、その下方部分にごみが集まり易く、かつ、湿気が多くなり易いので、衛生的であるとは言えない場合もある。
【０００５】
本発明は、係る事由に鑑みてなされたものであり、その目的は、濡れ縁又はウッドデッキを敷設しなくても、高齢者等が日光浴や庭の景観を楽しみ、ストレスを和らげることができる建物を提供することにある。
【課題を解決するための手段】
【０００６】
上記目的を達成するために、請求項１に記載の建物は、１の部屋の開口部を有する１つの側壁の外側に、開口部を塞ぐような垂直位置と開口部を開くような水平位置に保持可能とするものであって、両位置間で揺動可能であるように設けられる可動壁と、該可動壁の揺動を制御する揺動制御手段と、を備え、前記可動壁は、水平位置に保持したとき、その表面が前記部屋の床材の表面と略面一になることを特徴とする。
【０００７】
請求項２に記載の建物は、請求項１に記載された建物において、前記揺動制御手段は、前記部屋の天井材の上面左右に据えられた２台のウインチと、それぞれのウインチに連結されたワイヤロープと、を有し、該ワイヤロープが水平面での角度と垂直面での角度を各々変える２個の滑車を通って可動壁に結合されてなることを特徴とする。
【０００８】
請求項３に記載の建物は、請求項１に記載された建物において、前記可動壁にはシャフトが埋設され、前記揺動制御手段は該シャフトを回転させるモータを有していることを特徴とする。
【０００９】
請求項４に記載の建物は、請求項１乃至３のいずれかに記載された建物において、前記可動壁は、水平位置に保持する可動壁支持体を裏面に有していることを特徴とする。
【００１０】
請求項５に記載の建物は、請求項１乃至４のいずれかに記載された建物において、前記可動壁は、折りたたみ可能な手摺りを表面周辺に有することを特徴とする。
【００１１】
請求項６に記載の建物は、請求項５に記載された建物において、前記手摺りは、前記可動壁の表面の３辺に設けられた各手摺り部分からなり、床材側の反対側に設けられた手摺り部分の回転軸は他の手摺り部分の回転軸よりも可動壁の表面から離れていることを特徴とする。
【００１２】
請求項７に記載の建物は、請求項１乃至６のいずれかに記載された建物において、前記可動壁の端部に揺動可能に連結された継ぎ床を更に備え、前記部屋の開口部における床材の端部にサッシ枠が設けられ、可動壁が水平位置に保持されたとき、継ぎ床がサッシ枠による段差を覆うことを特徴とする。
【００１３】
請求項８に記載の建物は、請求項１乃至６のいずれかに記載された建物において、前記可動壁が水平位置に保持されたとき、床材の表面及び可動壁の表面と略面一になるように床材に固定された継ぎ床を更に備え、該継ぎ床と前記可動壁との間には下方に向かって直線的に広がる隙間が設けられていることを特徴とする。
【００１４】
請求項９に記載の建物は、請求項１乃至８のいずれかに記載された建物において、前記床材の表面及び可動壁の表面にガイドレールが設けられていることを特徴とする。
【００１５】
請求項１０に記載の建物は、請求項１乃至９のいずれかに記載された建物において、前記部屋の開口部には硝子障子が設けられ、硝子障子の位置を検知する硝子障子位置センサを更に備え、硝子障子が閉じられた状態でなければ可動壁が揺動可能とならないことを特徴とする。
【００１６】
請求項１１に記載の建物は、請求項１乃至１０のいずれかに記載された建物において、前記手摺りの折りたたみを検知する手摺り折りたたみ検知センサを更に備え、手すりが折りたたまれなければ可動壁が揺動可能とならないことを特徴とする。
【発明の効果】
【００１７】
本発明の建物によれば、１の部屋の開口部を有する１つの側壁の外側に、開口部を塞ぐような垂直位置と開口部を開くような水平位置に保持可能とするものであって、両位置間で揺動可能であるように設けられる可動壁を有しているので、庭の一部を常時占有することなく、また、その可動壁は、水平位置に保持したとき、その表面が前記部屋の床材の表面と略面一になるので、車椅子などによる移動が楽にできて高齢者等が日光浴や庭の景観を楽しむことができ、ストレスを和らげることが可能になる。
【発明を実施するための最良の形態】
【００１８】
以下、本発明を実施するための最良の形態を図面を参照しながら説明する。本発明の望ましい実施形態に係る建物１は、１個の部屋２の開口部を有する１つの側壁３の外側に、開口部を塞ぐような垂直位置と開口部を開くような水平位置に保持可能とするものであって、両位置間で揺動可能であるように可動壁４が設けられている。図１及び図２は、可動壁４が垂直位置に保持されたときの（１の状態の）建物１を示す上面図及び右側面図である。図３及び図４は、可動壁４が水平位置に保持されたときの（他の状態の）建物１を示す上面図及び右側面図である。垂直位置に保持された可動壁４は、その表面が側壁３の外面にほぼ密着し、外からは可動壁４の裏面が観察される。一方、水平位置に保持された可動壁４は庭上に立設され、外からは可動壁４の表面が観察される。可動壁４を水平位置に保持したときには、高齢者等は側壁３の開口部を通って可動壁４の表面上に移動可能となる。そのとき、可動壁４の表面は、部屋２の床材５の表面と略面一になるようにしてある。なお、屋根部分は省略して示している。
【００１９】
可動壁４は、その基部４ａが横長のほぼ長方形の平板状になっている。基部４ａの横方向又は縦方向の大きさは、庭の広さ等に合わせて決められる。基部４ａの床材５側の側方端部には、可動壁４を垂直位置と水平位置との間で揺動可能であるように、回転軸としての鋼製のシャフト４１が一部を突出するようにして埋設されている。シャフト４１の基部４ａへの固定は、基部４ａの左右に設けたシャフト固定具４１ａ、４１ａによって行っている。また、側壁３の左右の柱３２、３２には、シャフト４１を回転自在に支持する軸受３１、３１が固設されている。軸受３１、３１の垂直位置は、水平位置に保持された可動壁４の表面が床材５の表面と略面一になるように決められる。
【００２０】
この可動壁４の揺動は、揺動制御手段により制御される。すなわち、可動壁４は、揺動制御手段により、垂直位置と水平位置に保持可能とされ、両位置間で揺動可能となるのである。揺動制御手段は、２台のウインチ６１、６１と、それらに連結されて巻かれたり繰り出されたりし、かつ、先端に吊り金具６２、６２が取り付けられた２本のワイヤロープ６３、６３と、を有する。また、それぞれのワイヤロープ６３用に、水平面での角度を変える滑車６４と、垂直面での角度を変える滑車６５と、を有する。２台のウインチ６１、６１は、部屋２の天井材６の上面左右に、側壁３の左右の柱にほぼ向かって斜めに据えられている。それぞれのワイヤロープ６３は、滑車６４により水平面での角度を変えられ、滑車６５により垂直面での角度を変えられて吊り金具６２によって可動壁４に結合されている。具体的には、吊り金具６２は、後述の左右の可動壁支持体４２、４２に形成された側面突起部に係合されている。
【００２１】
ここで、２台のウインチ６１、６１を斜めに据え、滑車６４によりワイヤロープ６３、６３の水平面での角度を変えることにより、ウインチ６１、６１を天井材６の上面の範囲にコンパクトに収めている。従って、ウインチ６１、６１のための特別なスペースも必要なく、ウインチ６１、６１も雨等に曝されることがない。また、比較的簡単な構成になっている。
【００２２】
揺動制御手段には他の構成として、シャフト４１をモータにより回転させることも考えられる。
【００２３】
図５、図６及び図７はその構成を用いた変形例であり、可動壁４が垂直位置に保持されたときの（１の状態の）上面図、右側面図及び左側面図である。可動壁４の右側にはモータ用台座６６ａの上にモータ６６が載置され、シャフト４１は直接にモータ６６により回転させられる。また、可動壁４の左側にはスプリングバランサ６７が床梁５０ａに固定されて取り付けられ、内蔵のスプリング（図示せず）がシャフト４１の回転に連動するように、アーム６７ａ（図７において点線は可動壁４が水平位置の場合を示す）によりシャフト４１に連結されている。可動壁４が垂直位置から水平位置に揺動するときにスプリングは縮む。そして、水平位置から垂直位置に揺動するときにスプリングが戻ることにより、可動壁４の重量負荷を軽減する。
【００２４】
図８、図９及び図１０はもう１つの変形例であり、可動壁４が垂直位置に保持されたときの（１の状態の）上面図、右側面図及び左側面図である。可動壁４の左側と右側には、左右両側からシャフト４１を回転させるようにモータ６６Ａ、６６Ｂが設けられている。それぞれのモータ６６Ａ、６６Ｂは、上記のモータ６６に比べて軽量とすることができ、部屋２の左右の壁の外側に固定して取り付けられている。前述の独立した軸受３１、３１は設けなくてもよい。
【００２５】
シャフト４１をモータにより回転させると、２本のワイヤロープ６３、６３を有さないという点で、外観が良く、また、簡単な構成になる。なお、スプリングバランサ６７は、２本のワイヤロープ６３、６３を用いたものにも設けることは可能である。
【００２６】
可動壁４の基部４ａの裏面には、左右２本の可動壁支持体４２、４２が固着されている。可動壁支持体４２、４２は、可動壁４が水平位置に保持されるようにこれを支持する。従って、可動壁４の基部４ａは、２個の軸受３１、３１と２本の可動壁支持体４２、４２とによって支持されることになる。２本の可動壁支持体４２、４２の間に棒状の部材を渡すことで、可動壁４が垂直位置に保持されているとき、物干し等として利用することも可能である。なお、可動壁支持体４２の数は３以上にしても構わない。
【００２７】
可動壁４は表面周辺に折りたたみ可能な手摺り７を有する。手摺り７は、可動壁４が水平位置に保持されるときに立設され、垂直位置に保持されるときに折りたたまれる。手摺り７は、可動壁４の表面の３辺に設けられた各手摺り部分７ａ、７ｂ、７ｃからなる。立設されると、隣接する辺の手摺り部分同士（７ａと７ｂ、７ｂと７ｃ）は結合される。折りたたまれるときは、床材５側の反対側に位置する辺の手摺り部分７ｂが他の２辺の手摺り部分７ａ、７ｃに被さるようになる。そのため、折りたたむための回転軸は、床材５側の反対側の辺の手摺り部分７ｂは他の２辺の手摺り部分７ａ、７ｃよりも可動壁４の表面から離れている。
【００２８】
図１１は手摺り７の具体例を示す説明図である。手摺り７は複数の角パイプ７１、７１、・・・を主な部品として構成されており、所定の角パイプ７１ａ、７１ａの付け根部分には孔部が設けられている。また、可動壁４に固定された取付具７２、７２に、孔部が設けられている。取付具７２、７２に所定の角パイプ７１ａ、７１ａが嵌合され、取付具７２、７２の孔部と角パイプ７１ａ、７１ａの孔部に軸部材７３、７３が通されている。この軸部材７３、７３が折りたたむための回転軸となる。床材５側と反対側の辺の手摺り部分７ｂの軸部材７３、７３、・・・は、他の２辺の手摺り部分７ａ、７ｃの軸部材７３、７３、・・・よりも可動壁４の表面から離れた位置に通されることになる。
【００２９】
次に、建物１の使用方法について説明する。垂直位置に保持された可動壁４を水平位置に揺動する手順は、先ず、庭のスペースに人や車などがないことを確認する。室内に設置された起動スイッチ（図示せず）を入力し、それにより側壁３の開口部が開かれ、可動壁４が水平位置に保持される。そして、手摺り部分７ａ、７ｃの上に手摺り部分７ｂが被さっている状態となっているので、それらを順に立設する。可動壁４を垂直位置に揺動する手順は、先ず、手摺りを折りたたみ、可動壁４の表面上に人や物がないことを確認する。起動スイッチを入力し、それにより側壁３の開口部が閉じられ、可動壁４が垂直位置に保持される。
【００３０】
以上説明した基本構造により、水平位置に保持された可動壁４は、濡れ縁又はウッドデッキと同様の機能を発揮することができる。しかも、庭上に一時的にしか存在せず、常時は存在しない。そのため、垂直位置に保持されているときは、水平位置に保持されているときに占有していた庭のスペースは他の用途に使うことができる。例えば、通勤用の車の車庫として用い、車のないときに水平位置に保持するようにする。また、可動壁４は、多くの時間は垂直位置に保持されているので、このスペースに特にごみが集まり易いということはなく、また、湿気が多いということもない。
【００３１】
高齢者等が寝たきりの場合、高齢者等は、介護者により介護用ベッドと一緒に可動壁４へ移動させられることで、外気に触れ、日光浴や庭の景観を楽しむことができる。介護者が女性であってもその移動は容易である。そのとき、介護者は、使用していた蒲団を手摺り７に掛けて軽く乾かすことも可能である。また、高齢者等が、例えば寝たきりの状態から車椅子使用の状態へ又は車椅子使用の状態から自律歩行の状態へのリハビリテーション中の場合、床材５と可動壁４から成る広いスペースを使用することができるので、リハビリテーションを効率的に行うことができる。
【００３２】
また、広いスペースは家族が集まり易く、家族団欒の場とも成り得る。これは、高齢者等の孤独感などのストレスを発散するのに効果的である。また、介護する親の後ろ姿を子供たちに見せることにより、昔の日本の家庭にあった家族の絆を深めたり子供たちへの躾や教育の場になったりすることができる。
【００３３】
建物は、市場において流通販売される組立家屋をも含む概念である。図１２〜１７に、組立家屋１’の外観を示す。建物１の構造は、多くの場合、組立家屋１’が床梁５０ａの上に設置されてなるものである。図１２〜１４は、可動壁４が垂直位置に保持されたとき（１の状態）の正面図、右側面図、上面図である。左側面図は右側面図と、背面図は正面図における可動壁４を除いた図と、それぞれ実質的に対称形なので左側面図及び背面図は省略している。また、入室用のドア部は省略しているが、いずれかの面に取り付けられている。また、図は、前述した可動壁４の左側と右側にモータを設けたものを記しているが、前述した他のものも同様に適用される。図１５〜１７は、可動壁４が水平位置に保持されたとき（他の状態）の正面図、右側面図、上面図である。左側面図及び背面図は省略している。
【００３４】
次に、可動壁４が水平位置に保持されたときにそれと部屋２とを車椅子や介護用ベッドが移動し易いようにする細部構造を説明する。
【００３５】
部屋２と可動壁４の間には継ぎ床が設けられる。継ぎ床の設け方には、それを可動壁４側に固定する形態と部屋２側に固定する形態とがある。図１８は、継ぎ床を可動壁４側に固定する形態において、水平位置に保持された可動壁４と床材５の間付近の右側面視拡大断面図である。
【００３６】
可動壁４の基部４ａは、裏面から表面に向かって順に、外装材４４、鋼製又はアルミ製の溝型鋼４５、構造用合板４６、合板４７、塩化ビニル床シート４８が積層されている。溝型鋼４５は基部４ａのフレームを構成しており、その内側に鋼製のシャフト４１が配置されている。合板４７は、塩化ビニル床シート４８の貼着を容易にするための下地用である。表面の塩化ビニル床シート４８は、屋外に曝されたときの耐久性や耐水性を確保するためのものである。
【００３７】
床材５は、鉄骨の床梁５０ａの上に設置されており、裏面から表面に向かって順に、鋼製又はアルミ製のＣ型鋼５１、パーティクルボード５２、フローリング５３が積層されている。Ｃ型鋼５１の内側には断熱材５１ａが取り付けられている。また、床材５上の端部（より具体的には角部）には、側壁３の開口部に配設されるサッシ枠５４及び硝子障子５５（図１８には示さず）が取り付けられる。なお、床梁５０ａの下には基礎５０ｂが有る。
【００３８】
建物１の床材５と可動壁４との間には継ぎ床８Ａ、８Ｂが設けられている。上方の継ぎ床８Ａは、可動壁４の端部（より具体的には角部）に蝶番８Ａａで揺動可能に連結されている。可動壁４が水平位置に保持されたとき、継ぎ床８Ａはサッシ枠５４による段差を覆い、その表面は床材５の表面および可動壁４の表面と略面一になる。継ぎ床８Ａは、詳しくは、略長方形の平板状のプレート（例えば厚さ約４ｍｍのアルミなどの金属製）の先端部（例えば１０ｍｍ〜１５ｍｍ程度）をほぼ９０°に折り曲げた形状である。この折り曲げた先端部をサッシ枠５４の最上段の溝に引っかけるようになっている。
【００３９】
このように、サッシ枠５４による段差がほぼなくなるので、図２０に示すように車椅子の移動が容易になり、安全性が向上する。なお、可動壁４が垂直位置に保持されたときは、継ぎ床８Ａの表面は可動壁４の表面に対向する状態に揺動され、継ぎ床８Ａには手摺り部分７ａ、７ｃが被さるようになる。継ぎ床８Ａは、車椅子の移動のためには可動壁４の横方向の一部（例えば中央近傍）にのみ設ければよい。
【００４０】
また、継ぎ床８Ａの下方の継ぎ床８Ｂは可動壁４側に固定され、継ぎ床８Ａを支えると共に、床材５と可動壁４の間のスペースを埋める。継ぎ床８Ｂの横方向の長さは、側壁３の開口部よりも広く可動壁４の横方向の長さ程度である。継ぎ床８Ｂは、詳しくは、略コの字状のプレート８Ｂａ（例えば厚さ約３ｍｍのアルミなどの金属製）を可動壁４の側面（詳しくは、鋼製またはアルミ製の溝型鋼４５）にボルトとナット等で締着したものである。また、コの字状のプレート８Ｂａの内側に溶接された金属製のリブ補強材８Ｂｂが、適宜適所（例えばピッチ約４５０〜５００ｍｍ）に設けられる。
【００４１】
図１９は、継ぎ床を部屋２側に固定する形態において、水平位置に保持された可動壁４と床材５との間付近の右側面視拡大断面図である。可動壁４と床材５の構造は前述と同様であるので説明は省略する。サッシ枠（図示せず）は、角部ではなく部屋２の内側にフローリング５３の表面との段差ができるだけ少なくなるように取り付けられる。
【００４２】
床材５と可動壁４との間には継ぎ床８Ｃが設けられ、可動壁４が水平位置に保持されたとき、床材５の表面及び可動壁４の表面と略面一になるように床材５に固定される。継ぎ床８Ｃの横方向の長さは、側壁３の開口部よりも広く可動壁４の横方向の長さ程度である。継ぎ床８Ｃは、詳しくは、鉄骨の床梁５０ａ’の上に設置されており、裏面から表面に向かって順に、Ｃ型鋼８１、構造用合板８２、合板８３、塩化ビニル床シート８４が積層されている。このＣ型鋼８１と床材５のＣ型鋼５１とがボルトとナット等により締着されることにより、継ぎ床８Ｃは床材５に固定される。
【００４３】
継ぎ床８Ｃと可動壁４との間には、可動壁４の位置合わせのための遊びとして、隙間８０（例えば約１ｃｍ）が設けられている。この隙間８０は、下方に向かって直線的に広がっている。すなわち、継ぎ床８Ｃの端は、下方に行くにつれ床材５側に傾斜している。これは、可動壁４が水平位置から垂直位置に又は垂直位置から水平位置に揺動するときに、可動壁４の角４０が継ぎ床８Ｃに接触しないようにするためである。
【００４４】
介護用ベッドの移動を容易にするためには、部屋２の床材５の表面及び可動壁４の表面にガイドレール９１が設置され、介護用ベッドの脚先にはガイドレール９１に嵌合する複数の車輪９２、９２、・・・が設けられる。図２１は、ガイドレール９１と介護用ベッドを示す斜視図である。図においては、ガイドレール９１に嵌合する車輪９２、９２、・・・は２個固まりが２個（計４個）片側に設けられている。床材５と可動壁４の間のスペースに段差ができ、ガイドレール９１が切れている部分があっても、介護用ベッドの車輪９２、９２、・・・間の最小間隔をそれよりも大きくすれば、残りの車輪９２、９２、・・・が床材５の表面か可動壁４の表面のガイドレール９１に嵌合するため、脱輪することなく介護用ベッドは容易に移動することができる。
【００４５】
次に、可動壁４が揺動することに対して安全性を向上させる細部構造を説明する。
【００４６】
側壁３の開口部の中央上方の軒部には、可動壁４が水平位置にあるときは可動壁４の表面が撮写でき、垂直位置にあるときは庭のスペースが撮写できるようにモニターカメラ（図示せず）が設置される。室内には、モニターカメラの映像を確認できる室内モニター（図示せず）が設置される。このモニターカメラと室内モニターにより、可動壁４を水平位置に揺動するときには庭のスペースに人や車などがないことが確認でき、可動壁４を垂直位置に揺動するときには可動壁４の表面上に人や物がないことが確認できる。可動壁４の揺動時の安全確認をより確実にするためには、室内モニターは起動スイッチの近辺に設置されるのが望ましい。
【００４７】
側壁３の開口部の中央下方には、可動壁４の揺動時に人や車などを感知するための物体センサ（例えば既知の人感センサ）（図示せず）が設置される。可動壁４の揺動前に人や車などを感知すると揺動動作を行わず、揺動途中に感知すると直ちに揺動動作を停止する。
【００４８】
図２２に硝子障子５５の位置を検知する硝子障子位置センサ９３を示す。この硝子障子位置センサ９３は、側壁３の部屋側（例えばサッシ枠５４）に固着された部分９３ａと、硝子障子５５に固着された部分９３ｂと、配線（図示せず）と、からなる。部分９３ａと部分９３ｂが合わさって初めて可動壁４が揺動可能とするものである。言い換えれば、硝子障子５５が閉じられた状態でなければ可動壁４が揺動可能とならない。その結果、硝子障子５５の閉め忘れによる事故を防止することができる。なお、硝子障子位置センサ９３の内部機構は、例えば、一方が発する赤外線や磁界が他方により影響されることを利用するものである。
【００４９】
図２３に手摺り７の折りたたみを検知する手摺り折りたたみ検知センサ９４を示す。手摺り折りたたみ検知センサ９４は、手摺り部分７ｂの手摺り部分７ａ（或いは手摺り部分７ｃ）側の端面下部に固着された部分９４ａと可動壁４の側面に固着された部分９４ｂと、配線（図示せず）と、からなる。部分９４ａと部分９４ｂが合わさって初めて可動壁４が揺動可能とするものである。言い換えれば、手摺り７が折りたたまれなければ可動壁４が揺動可能とならない。このことは、可動壁４を垂直方向に揺動するときには手摺り７を折りたたんで準備する必要があることを意味し、その結果、事故の防止に寄与することができる。なお、手摺り折りたたみ検知センサ９４の内部機構は、前述の硝子障子位置センサ９３と同様である。
【００５０】
次に、可動壁４が揺動する際の衝撃を和らげる細部構造を説明する。
【００５１】
側壁３の開口部の中央上方には、図２４に示すような可動壁ストッパ９５が設置される。可動壁ストッパ９５は、衝撃を吸収するために、略正方形のゴム製の吸収材９５ａがビス９５ｂ、９５ｂ、・・・によって取り付けられ、可動壁４を垂直位置に揺動するときに、仮にオーバーランしても可動壁４が側壁３を破壊しないようにするものである。なお、ビス９５ｂ、９５ｂ、・・・は埋め込まれている。また、可動壁ストッパ９５の形状はこれに限らない。
【００５２】
可動壁支持体４２の先端には、可動壁４を垂直位置から水平位置に揺動したときに可動壁支持体４２にかかる衝撃を吸収するために、例えば油圧式のスプリングのような衝撃吸収体が設けられる。この衝撃吸収体の地面と接する箇所は弾力性のある素材（例えばゴム製）であるのが望ましい。
【００５３】
以上、本発明の望ましい実施形態に係る建物について説明したが、本発明は、実施形態に記載したものに限られることなく、特許請求の範囲に記載した事項の範囲内でのさまざまな設計変更が可能である。例えば、可動壁４、床材５、継ぎ床８Ａ、８Ｂ、８Ｃを構成する部材の材質、構造などは適宜変更可能である。また、可動壁４の基部４ａの裏面に可動壁支持体４２、４２を固着するかわりに、可動壁４を水平に支持するために複数の支柱を地面に立設することも可能である。これらの支柱は、可動壁４が垂直位置のときに、通行などの障害とならないよう取り外し又は地中に収納可能なようにすることもできる。
【００５４】
また、建物の１階部分だけでなく２階部分にも可動壁を設けることが可能である。この場合、水平位置に安定して保持するための他の部材（例えば保持用ワイヤロープなど）が必要に応じて取り付けられる。また、戸建住宅のみならず介護施設等にも可動壁を設けることができるのは勿論である。
【図面の簡単な説明】
【００５５】
【図１】本発明の望ましい実施形態に係る建物の１の状態を示す上面図である。
【図２】同上の１の状態を示す右側面図である。
【図３】同上の他の状態を示す上面図である。
【図４】同上の他の状態を示す右側面図である。
【図５】同上の変形例の１の状態を示す上面図である。
【図６】同上の変形例の１の状態を示す右側面図である。
【図７】同上の変形例の１の状態を示す左側面図である。
【図８】同上の別の変形例の１の状態を示す上面図である。
【図９】同上の別の変形例の１の状態を示す右側面図である。
【図１０】同上の別の変形例の１の状態を示す左側面図である。
【図１１】同上の手摺りの具体例を示す説明図である。
【図１２】同上の組立家屋の１の状態を示す正面図である。
【図１３】同上の組立家屋の１の状態を示す右側面図である。
【図１４】同上の組立家屋の１の状態を示す上面図である。
【図１５】同上の組立家屋の他の状態を示す正面図である。
【図１６】同上の組立家屋の他の状態を示す右側面図である。
【図１７】同上の組立家屋の他の状態を示す上面図である。
【図１８】同上の１の形態における可動壁と床材との間付近の右側面視拡大断面図である。
【図１９】同上の別の形態における可動壁と床材との間付近の右側面視拡大断面図である。
【図２０】同上の１の形態における車椅子の移動を表す斜視図である。
【図２１】同上のガイドレールと介護用ベッドを示す斜視図である。
【図２２】同上の硝子障子位置センサの説明図である。
【図２３】同上の手摺り折りたたみ検知センサの説明図である。
【図２４】同上の可動壁ストッパの外観図である。
【符号の説明】
【００５６】
１    建物
２    部屋
３    側壁
４    可動壁
５    床材
６    天井材
７    手摺り
８Ａ、８Ｂ、８Ｃ  継ぎ床
４２    可動壁支持体
５４    サッシ枠
５５    硝子障子
６１    ウインチ
６３    ワイヤロープ
６４    水平面での角度を変える滑車
６５    垂直面での角度を変える滑車
６６、６６Ａ、６６Ｂ  モータ
９１    ガイドレール
９３    硝子障子位置センサ
９４    手摺り折りたたみ検知センサ
【図１】
2007154644.tif 000003
【図２】
2007154644.tif 000004
【図３】
2007154644.tif 000005
【図４】
2007154644.tif 000006
【図５】
2007154644.tif 000007
【図６】
2007154644.tif 000008
【図７】
2007154644.tif 000009
【図８】
2007154644.tif 000010
【図９】
2007154644.tif 000011
【図１０】
2007154644.tif 000012
【図１１】
2007154644.tif 000013
【図１２】
2007154644.tif 000014
【図１３】
2007154644.tif 000015
【図１４】
2007154644.tif 000016
【図１５】
2007154644.tif 000017
【図１６】
2007154644.tif 000018
【図１７】
2007154644.tif 000019
【図１８】
2007154644.tif 000020
【図１９】
2007154644.tif 000021
【図２０】
2007154644.tif 000022
【図２１】
2007154644.tif 000023
【図２２】
2007154644.tif 000024
【図２３】
2007154644.tif 000025
【図２４】
2007154644.tif 000026
【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
１の部屋の開口部を有する１つの側壁の外側に、開口部を塞ぐような垂直位置と開口部を開くような水平位置に保持可能とするものであって、両位置間で揺動可能であるように設けられる可動壁と、
該可動壁の揺動を制御する揺動制御手段と、を備え、
前記可動壁は、水平位置に保持したとき、その表面が前記部屋の床材の表面と略面一になり、
前記床材の表面及び可動壁の表面にはガイドレールが設けられていることを特徴とする建物。
【請求項２】
請求項１に記載された建物において、
前記可動壁が水平位置に保持されたとき、床材の表面及び可動壁の表面と略面一になるように床材に固定された継ぎ床を更に備え、
該継ぎ床と前記可動壁との間には下方に向かって直線的に広がる隙間が設けられていることを特徴とする建物。
【手続補正２】
【補正対象書類名】明細書
【補正対象項目名】全文
【補正方法】変更
【補正の内容】
【発明の詳細な説明】
【技術分野】
【０００１】
本発明は、高齢者等の使用に好適な建物に関する。
【背景技術】
【０００２】
従来より、高齢者、病人、身障者等（以下、高齢者等）が快適に生活できるように色々と工夫された建物が提案又は実用化されてきた。例えば、特許文献１には、出入り可能で開閉可能な開口部である窓のサッシ下枠を室内の床材及び濡れ縁とほぼ同じ高さにし、高齢者等が車椅子に乗ったままでも楽に濡れ縁に移動して日光浴等ができる建物が記載されている。また、特許文献２には、屋内の床材と同じ高さにウッドデッキを敷設し、高齢者等が車椅子に乗ったままでも楽に中庭に出て庭の景観を楽しむことができる建物が記載されている。
【０００３】
【特許文献１】特開平１１−３０３５１１号公報
【特許文献２】特開２００１−３４９０６８号公報
【発明の開示】
【発明が解決しようとする課題】
【０００４】
しかし、特許文献１、２に記載されている濡れ縁又はウッドデッキは、高齢者等への配慮は認められるのであるが、それらを敷設することによりかなりの面積を占有することとなり、それらが敷設される庭は他の用途のために使える面積が狭くなる。また、敷設された濡れ縁又はウッドデッキは、その下方部分にごみが集まり易く、かつ、湿気が多くなり易いので、衛生的であるとは言えない場合もある。
【０００５】
本発明は、係る事由に鑑みてなされたものであり、その目的は、濡れ縁又はウッドデッキを敷設しなくても、高齢者等が日光浴や庭の景観を楽しみ、ストレスを和らげることができる建物を提供することにある。
【課題を解決するための手段】
【０００６】
上記目的を達成するために、請求項１に記載の建物は、１の部屋の開口部を有する１つの側壁の外側に、開口部を塞ぐような垂直位置と開口部を開くような水平位置に保持可能とするものであって、両位置間で揺動可能であるように設けられる可動壁と、該可動壁の揺動を制御する揺動制御手段と、を備え、前記可動壁は、水平位置に保持したとき、その表面が前記部屋の床材の表面と略面一になり、前記床材の表面及び可動壁の表面にはガイドレールが設けられていることを特徴とする。
【０００７】
請求項２に記載の建物は、請求項１に記載された建物において、前記可動壁が水平位置に保持されたとき、床材の表面及び可動壁の表面と略面一になるように床材に固定された継ぎ床を更に備え、該継ぎ床と前記可動壁との間には下方に向かって直線的に広がる隙間が設けられていることを特徴とする。
【発明の効果】
【０００８】
本発明の建物によれば、１の部屋の開口部を有する１つの側壁の外側に、開口部を塞ぐような垂直位置と開口部を開くような水平位置に保持可能とするものであって、両位置間で揺動可能であるように設けられる可動壁を有しているので、庭の一部を常時占有することなく、また、その可動壁は、水平位置に保持したとき、その表面が前記部屋の床材の表面と略面一になりガイドレールが設けられることで、介護用ベッドの移動が容易になり、また、車椅子などによる移動が楽にできて高齢者等が日光浴や庭の景観を楽しむことができ、ストレスを和らげることが可能になる。
【発明を実施するための最良の形態】
【０００９】
以下、本発明を実施するための最良の形態を図面を参照しながら説明する。本発明の望ましい実施形態に係る建物１は、１個の部屋２の開口部を有する１つの側壁３の外側に、開口部を塞ぐような垂直位置と開口部を開くような水平位置に保持可能とするものであって、両位置間で揺動可能であるように可動壁４が設けられている。図１及び図２は、可動壁４が垂直位置に保持されたときの（１の状態の）建物１を示す上面図及び右側面図である。図３及び図４は、可動壁４が水平位置に保持されたときの（他の状態の）建物１を示す上面図及び右側面図である。垂直位置に保持された可動壁４は、その表面が側壁３の外面にほぼ密着し、外からは可動壁４の裏面が観察される。一方、水平位置に保持された可動壁４は庭上に立設され、外からは可動壁４の表面が観察される。可動壁４を水平位置に保持したときには、高齢者等は側壁３の開口部を通って可動壁４の表面上に移動可能となる。そのとき、可動壁４の表面は、部屋２の床材５の表面と略面一になるようにしてある。なお、屋根部分は省略して示している。
【００１０】
可動壁４は、その基部４ａが横長のほぼ長方形の平板状になっている。基部４ａの横方向又は縦方向の大きさは、庭の広さ等に合わせて決められる。基部４ａの床材５側の側方端部には、可動壁４を垂直位置と水平位置との間で揺動可能であるように、回転軸としての鋼製のシャフト４１が一部を突出するようにして埋設されている。シャフト４１の基部４ａへの固定は、基部４ａの左右に設けたシャフト固定具４１ａ、４１ａによって行っている。また、側壁３の左右の柱３２、３２には、シャフト４１を回転自在に支持する軸受３１、３１が固設されている。軸受３１、３１の垂直位置は、水平位置に保持された可動壁４の表面が床材５の表面と略面一になるように決められる。
【００１１】
この可動壁４の揺動は、揺動制御手段により制御される。すなわち、可動壁４は、揺動制御手段により、垂直位置と水平位置に保持可能とされ、両位置間で揺動可能となるのである。揺動制御手段は、２台のウインチ６１、６１と、それらに連結されて巻かれたり繰り出されたりし、かつ、先端に吊り金具６２、６２が取り付けられた２本のワイヤロープ６３、６３と、を有する。また、それぞれのワイヤロープ６３用に、水平面での角度を変える滑車６４と、垂直面での角度を変える滑車６５と、を有する。２台のウインチ６１、６１は、部屋２の天井材６の上面左右に、側壁３の左右の柱にほぼ向かって斜めに据えられている。それぞれのワイヤロープ６３は、滑車６４により水平面での角度を変えられ、滑車６５により垂直面での角度を変えられて吊り金具６２によって可動壁４に結合されている。具体的には、吊り金具６２は、後述の左右の可動壁支持体４２、４２に形成された側面突起部に係合されている。
【００１２】
ここで、２台のウインチ６１、６１を斜めに据え、滑車６４によりワイヤロープ６３、６３の水平面での角度を変えることにより、ウインチ６１、６１を天井材６の上面の範囲にコンパクトに収めている。従って、ウインチ６１、６１のための特別なスペースも必要なく、ウインチ６１、６１も雨等に曝されることがない。また、比較的簡単な構成になっている。
【００１３】
揺動制御手段には他の構成として、シャフト４１をモータにより回転させることも考えられる。
【００１４】
図５、図６及び図７はその構成を用いた変形例であり、可動壁４が垂直位置に保持されたときの（１の状態の）上面図、右側面図及び左側面図である。可動壁４の右側にはモータ用台座６６ａの上にモータ６６が載置され、シャフト４１は直接にモータ６６により回転させられる。また、可動壁４の左側にはスプリングバランサ６７が床梁５０ａに固定されて取り付けられ、内蔵のスプリング（図示せず）がシャフト４１の回転に連動するように、アーム６７ａ（図７において点線は可動壁４が水平位置の場合を示す）によりシャフト４１に連結されている。可動壁４が垂直位置から水平位置に揺動するときにスプリングは縮む。そして、水平位置から垂直位置に揺動するときにスプリングが戻ることにより、可動壁４の重量負荷を軽減する。
【００１５】
図８、図９及び図１０はもう１つの変形例であり、可動壁４が垂直位置に保持されたときの（１の状態の）上面図、右側面図及び左側面図である。可動壁４の左側と右側には、左右両側からシャフト４１を回転させるようにモータ６６Ａ、６６Ｂが設けられている。それぞれのモータ６６Ａ、６６Ｂは、上記のモータ６６に比べて軽量とすることができ、部屋２の左右の壁の外側に固定して取り付けられている。前述の独立した軸受３１、３１は設けなくてもよい。
【００１６】
シャフト４１をモータにより回転させると、２本のワイヤロープ６３、６３を有さないという点で、外観が良く、また、簡単な構成になる。なお、スプリングバランサ６７は、２本のワイヤロープ６３、６３を用いたものにも設けることは可能である。
【００１７】
可動壁４の基部４ａの裏面には、左右２本の可動壁支持体４２、４２が固着されている。可動壁支持体４２、４２は、可動壁４が水平位置に保持されるようにこれを支持する。従って、可動壁４の基部４ａは、２個の軸受３１、３１と２本の可動壁支持体４２、４２とによって支持されることになる。２本の可動壁支持体４２、４２の間に棒状の部材を渡すことで、可動壁４が垂直位置に保持されているとき、物干し等として利用することも可能である。なお、可動壁支持体４２の数は３以上にしても構わない。
【００１８】
可動壁４は表面周辺に折りたたみ可能な手摺り７を有する。手摺り７は、可動壁４が水平位置に保持されるときに立設され、垂直位置に保持されるときに折りたたまれる。手摺り７は、可動壁４の表面の３辺に設けられた各手摺り部分７ａ、７ｂ、７ｃからなる。立設されると、隣接する辺の手摺り部分同士（７ａと７ｂ、７ｂと７ｃ）は結合される。折りたたまれるときは、床材５側の反対側に位置する辺の手摺り部分７ｂが他の２辺の手摺り部分７ａ、７ｃに被さるようになる。そのため、折りたたむための回転軸は、床材５側の反対側の辺の手摺り部分７ｂは他の２辺の手摺り部分７ａ、７ｃよりも可動壁４の表面から離れている。
【００１９】
図１１は手摺り７の具体例を示す説明図である。手摺り７は複数の角パイプ７１、７１、・・・を主な部品として構成されており、所定の角パイプ７１ａ、７１ａの付け根部分には孔部が設けられている。また、可動壁４に固定された取付具７２、７２に、孔部が設けられている。取付具７２、７２に所定の角パイプ７１ａ、７１ａが嵌合され、取付具７２、７２の孔部と角パイプ７１ａ、７１ａの孔部に軸部材７３、７３が通されている。この軸部材７３、７３が折りたたむための回転軸となる。床材５側と反対側の辺の手摺り部分７ｂの軸部材７３、７３、・・・は、他の２辺の手摺り部分７ａ、７ｃの軸部材７３、７３、・・・よりも可動壁４の表面から離れた位置に通されることになる。
【００２０】
次に、建物１の使用方法について説明する。垂直位置に保持された可動壁４を水平位置に揺動する手順は、先ず、庭のスペースに人や車などがないことを確認する。室内に設置された起動スイッチ（図示せず）を入力し、それにより側壁３の開口部が開かれ、可動壁４が水平位置に保持される。そして、手摺り部分７ａ、７ｃの上に手摺り部分７ｂが被さっている状態となっているので、それらを順に立設する。可動壁４を垂直位置に揺動する手順は、先ず、手摺りを折りたたみ、可動壁４の表面上に人や物がないことを確認する。起動スイッチを入力し、それにより側壁３の開口部が閉じられ、可動壁４が垂直位置に保持される。
【００２１】
以上説明した基本構造により、水平位置に保持された可動壁４は、濡れ縁又はウッドデッキと同様の機能を発揮することができる。しかも、庭上に一時的にしか存在せず、常時は存在しない。そのため、垂直位置に保持されているときは、水平位置に保持されているときに占有していた庭のスペースは他の用途に使うことができる。例えば、通勤用の車の車庫として用い、車のないときに水平位置に保持するようにする。また、可動壁４は、多くの時間は垂直位置に保持されているので、このスペースに特にごみが集まり易いということはなく、また、湿気が多いということもない。
【００２２】
高齢者等が寝たきりの場合、高齢者等は、介護者により介護用ベッドと一緒に可動壁４へ移動させられることで、外気に触れ、日光浴や庭の景観を楽しむことができる。介護者が女性であってもその移動は容易である。そのとき、介護者は、使用していた蒲団を手摺り７に掛けて軽く乾かすことも可能である。また、高齢者等が、例えば寝たきりの状態から車椅子使用の状態へ又は車椅子使用の状態から自律歩行の状態へのリハビリテーション中の場合、床材５と可動壁４から成る広いスペースを使用することができるので、リハビリテーションを効率的に行うことができる。
【００２３】
また、広いスペースは家族が集まり易く、家族団欒の場とも成り得る。これは、高齢者等の孤独感などのストレスを発散するのに効果的である。また、介護する親の後ろ姿を子供たちに見せることにより、昔の日本の家庭にあった家族の絆を深めたり子供たちへの躾や教育の場になったりすることができる。
【００２４】
建物は、市場において流通販売される組立家屋をも含む概念である。図１２〜１７に、組立家屋１’の外観を示す。建物１の構造は、多くの場合、組立家屋１’が床梁５０ａの上に設置されてなるものである。図１２〜１４は、可動壁４が垂直位置に保持されたとき（１の状態）の正面図、右側面図、上面図である。左側面図は右側面図と、背面図は正面図における可動壁４を除いた図と、それぞれ実質的に対称形なので左側面図及び背面図は省略している。また、入室用のドア部は省略しているが、いずれかの面に取り付けられている。また、図は、前述した可動壁４の左側と右側にモータを設けたものを記しているが、前述した他のものも同様に適用される。図１５〜１７は、可動壁４が水平位置に保持されたとき（他の状態）の正面図、右側面図、上面図である。左側面図及び背面図は省略している。
【００２５】
次に、可動壁４が水平位置に保持されたときにそれと部屋２とを車椅子や介護用ベッドが移動し易いようにする細部構造を説明する。
【００２６】
部屋２と可動壁４の間には継ぎ床が設けられる。継ぎ床の設け方には、それを可動壁４側に固定する形態と部屋２側に固定する形態とがある。図１８は、継ぎ床を可動壁４側に固定する形態において、水平位置に保持された可動壁４と床材５の間付近の右側面視拡大断面図である。
【００２７】
可動壁４の基部４ａは、裏面から表面に向かって順に、外装材４４、鋼製又はアルミ製の溝型鋼４５、構造用合板４６、合板４７、塩化ビニル床シート４８が積層されている。溝型鋼４５は基部４ａのフレームを構成しており、その内側に鋼製のシャフト４１が配置されている。合板４７は、塩化ビニル床シート４８の貼着を容易にするための下地用である。表面の塩化ビニル床シート４８は、屋外に曝されたときの耐久性や耐水性を確保するためのものである。
【００２８】
床材５は、鉄骨の床梁５０ａの上に設置されており、裏面から表面に向かって順に、鋼製又はアルミ製のＣ型鋼５１、パーティクルボード５２、フローリング５３が積層されている。Ｃ型鋼５１の内側には断熱材５１ａが取り付けられている。また、床材５上の端部（より具体的には角部）には、側壁３の開口部に配設されるサッシ枠５４及び硝子障子５５（図１８には示さず）が取り付けられる。なお、床梁５０ａの下には基礎５０ｂが有る。
【００２９】
建物１の床材５と可動壁４との間には継ぎ床８Ａ、８Ｂが設けられている。上方の継ぎ床８Ａは、可動壁４の端部（より具体的には角部）に蝶番８Ａａで揺動可能に連結されている。可動壁４が水平位置に保持されたとき、継ぎ床８Ａはサッシ枠５４による段差を覆い、その表面は床材５の表面および可動壁４の表面と略面一になる。継ぎ床８Ａは、詳しくは、略長方形の平板状のプレート（例えば厚さ約４ｍｍのアルミなどの金属製）の先端部（例えば１０ｍｍ〜１５ｍｍ程度）をほぼ９０°に折り曲げた形状である。この折り曲げた先端部をサッシ枠５４の最上段の溝に引っかけるようになっている。
【００３０】
このように、サッシ枠５４による段差がほぼなくなるので、図２０に示すように車椅子の移動が容易になり、安全性が向上する。なお、可動壁４が垂直位置に保持されたときは、継ぎ床８Ａの表面は可動壁４の表面に対向する状態に揺動され、継ぎ床８Ａには手摺り部分７ａ、７ｃが被さるようになる。継ぎ床８Ａは、車椅子の移動のためには可動壁４の横方向の一部（例えば中央近傍）にのみ設ければよい。
【００３１】
また、継ぎ床８Ａの下方の継ぎ床８Ｂは可動壁４側に固定され、継ぎ床８Ａを支えると共に、床材５と可動壁４の間のスペースを埋める。継ぎ床８Ｂの横方向の長さは、側壁３の開口部よりも広く可動壁４の横方向の長さ程度である。継ぎ床８Ｂは、詳しくは、略コの字状のプレート８Ｂａ（例えば厚さ約３ｍｍのアルミなどの金属製）を可動壁４の側面（詳しくは、鋼製またはアルミ製の溝型鋼４５）にボルトとナット等で締着したものである。また、コの字状のプレート８Ｂａの内側に溶接された金属製のリブ補強材８Ｂｂが、適宜適所（例えばピッチ約４５０〜５００ｍｍ）に設けられる。
【００３２】
図１９は、継ぎ床を部屋２側に固定する形態において、水平位置に保持された可動壁４と床材５との間付近の右側面視拡大断面図である。可動壁４と床材５の構造は前述と同様であるので説明は省略する。サッシ枠（図示せず）は、角部ではなく部屋２の内側にフローリング５３の表面との段差ができるだけ少なくなるように取り付けられる。
【００３３】
床材５と可動壁４との間には継ぎ床８Ｃが設けられ、可動壁４が水平位置に保持されたとき、床材５の表面及び可動壁４の表面と略面一になるように床材５に固定される。継ぎ床８Ｃの横方向の長さは、側壁３の開口部よりも広く可動壁４の横方向の長さ程度である。継ぎ床８Ｃは、詳しくは、鉄骨の床梁５０ａ’の上に設置されており、裏面から表面に向かって順に、Ｃ型鋼８１、構造用合板８２、合板８３、塩化ビニル床シート８４が積層されている。このＣ型鋼８１と床材５のＣ型鋼５１とがボルトとナット等により締着されることにより、継ぎ床８Ｃは床材５に固定される。
【００３４】
継ぎ床８Ｃと可動壁４との間には、可動壁４の位置合わせのための遊びとして、隙間８０（例えば約１ｃｍ）が設けられている。この隙間８０は、下方に向かって直線的に広がっている。すなわち、継ぎ床８Ｃの端は、下方に行くにつれ床材５側に傾斜している。これは、可動壁４が水平位置から垂直位置に又は垂直位置から水平位置に揺動するときに、可動壁４の角４０が継ぎ床８Ｃに接触しないようにするためである。
【００３５】
介護用ベッドの移動を容易にするためには、部屋２の床材５の表面及び可動壁４の表面にガイドレール９１が設置され、介護用ベッドの脚先にはガイドレール９１に嵌合する複数の車輪９２、９２、・・・が設けられる。図２１は、ガイドレール９１と介護用ベッドを示す斜視図である。図においては、ガイドレール９１に嵌合する車輪９２、９２、・・・は２個固まりが２個（計４個）片側に設けられている。床材５と可動壁４の間のスペースに段差ができ、ガイドレール９１が切れている部分があっても、介護用ベッドの車輪９２、９２、・・・間の最小間隔をそれよりも大きくすれば、残りの車輪９２、９２、・・・が床材５の表面か可動壁４の表面のガイドレール９１に嵌合するため、脱輪することなく介護用ベッドは容易に移動することができる。
【００３６】
次に、可動壁４が揺動することに対して安全性を向上させる細部構造を説明する。
【００３７】
側壁３の開口部の中央上方の軒部には、可動壁４が水平位置にあるときは可動壁４の表面が撮写でき、垂直位置にあるときは庭のスペースが撮写できるようにモニターカメラ（図示せず）が設置される。室内には、モニターカメラの映像を確認できる室内モニター（図示せず）が設置される。このモニターカメラと室内モニターにより、可動壁４を水平位置に揺動するときには庭のスペースに人や車などがないことが確認でき、可動壁４を垂直位置に揺動するときには可動壁４の表面上に人や物がないことが確認できる。可動壁４の揺動時の安全確認をより確実にするためには、室内モニターは起動スイッチの近辺に設置されるのが望ましい。
【００３８】
側壁３の開口部の中央下方には、可動壁４の揺動時に人や車などを感知するための物体センサ（例えば既知の人感センサ）（図示せず）が設置される。可動壁４の揺動前に人や車などを感知すると揺動動作を行わず、揺動途中に感知すると直ちに揺動動作を停止する。
【００３９】
図２２に硝子障子５５の位置を検知する硝子障子位置センサ９３を示す。この硝子障子位置センサ９３は、側壁３の部屋側（例えばサッシ枠５４）に固着された部分９３ａと、硝子障子５５に固着された部分９３ｂと、配線（図示せず）と、からなる。部分９３ａと部分９３ｂが合わさって初めて可動壁４が揺動可能とするものである。言い換えれば、硝子障子５５が閉じられた状態でなければ可動壁４が揺動可能とならない。その結果、硝子障子５５の閉め忘れによる事故を防止することができる。なお、硝子障子位置センサ９３の内部機構は、例えば、一方が発する赤外線や磁界が他方により影響されることを利用するものである。
【００４０】
図２３に手摺り７の折りたたみを検知する手摺り折りたたみ検知センサ９４を示す。手摺り折りたたみ検知センサ９４は、手摺り部分７ｂの手摺り部分７ａ（或いは手摺り部分７ｃ）側の端面下部に固着された部分９４ａと可動壁４の側面に固着された部分９４ｂと、配線（図示せず）と、からなる。部分９４ａと部分９４ｂが合わさって初めて可動壁４が揺動可能とするものである。言い換えれば、手摺り７が折りたたまれなければ可動壁４が揺動可能とならない。このことは、可動壁４を垂直方向に揺動するときには手摺り７を折りたたんで準備する必要があることを意味し、その結果、事故の防止に寄与することができる。なお、手摺り折りたたみ検知センサ９４の内部機構は、前述の硝子障子位置センサ９３と同様である。
【００４１】
次に、可動壁４が揺動する際の衝撃を和らげる細部構造を説明する。
【００４２】
側壁３の開口部の中央上方には、図２４に示すような可動壁ストッパ９５が設置される。可動壁ストッパ９５は、衝撃を吸収するために、略正方形のゴム製の吸収材９５ａがビス９５ｂ、９５ｂ、・・・によって取り付けられ、可動壁４を垂直位置に揺動するときに、仮にオーバーランしても可動壁４が側壁３を破壊しないようにするものである。なお、ビス９５ｂ、９５ｂ、・・・は埋め込まれている。また、可動壁ストッパ９５の形状はこれに限らない。
【００４３】
可動壁支持体４２の先端には、可動壁４を垂直位置から水平位置に揺動したときに可動壁支持体４２にかかる衝撃を吸収するために、例えば油圧式のスプリングのような衝撃吸収体が設けられる。この衝撃吸収体の地面と接する箇所は弾力性のある素材（例えばゴム製）であるのが望ましい。
【００４４】
以上、本発明の望ましい実施形態に係る建物について説明したが、本発明は、実施形態に記載したものに限られることなく、特許請求の範囲に記載した事項の範囲内でのさまざまな設計変更が可能である。例えば、可動壁４、床材５、継ぎ床８Ａ、８Ｂ、８Ｃを構成する部材の材質、構造などは適宜変更可能である。また、可動壁４の基部４ａの裏面に可動壁支持体４２、４２を固着するかわりに、可動壁４を水平に支持するために複数の支柱を地面に立設することも可能である。これらの支柱は、可動壁４が垂直位置のときに、通行などの障害とならないよう取り外し又は地中に収納可能なようにすることもできる。
【００４５】
また、建物の１階部分だけでなく２階部分にも可動壁を設けることが可能である。この場合、水平位置に安定して保持するための他の部材（例えば保持用ワイヤロープなど）が必要に応じて取り付けられる。また、戸建住宅のみならず介護施設等にも可動壁を設けることができるのは勿論である。
【図面の簡単な説明】
【００４６】
【図１】本発明の望ましい実施形態に係る建物の１の状態を示す上面図である。
【図２】同上の１の状態を示す右側面図である。
【図３】同上の他の状態を示す上面図である。
【図４】同上の他の状態を示す右側面図である。
【図５】同上の変形例の１の状態を示す上面図である。
【図６】同上の変形例の１の状態を示す右側面図である。
【図７】同上の変形例の１の状態を示す左側面図である。
【図８】同上の別の変形例の１の状態を示す上面図である。
【図９】同上の別の変形例の１の状態を示す右側面図である。
【図１０】同上の別の変形例の１の状態を示す左側面図である。
【図１１】同上の手摺りの具体例を示す説明図である。
【図１２】同上の組立家屋の１の状態を示す正面図である。
【図１３】同上の組立家屋の１の状態を示す右側面図である。
【図１４】同上の組立家屋の１の状態を示す上面図である。
【図１５】同上の組立家屋の他の状態を示す正面図である。
【図１６】同上の組立家屋の他の状態を示す右側面図である。
【図１７】同上の組立家屋の他の状態を示す上面図である。
【図１８】同上の１の形態における可動壁と床材との間付近の右側面視拡大断面図である。
【図１９】同上の別の形態における可動壁と床材との間付近の右側面視拡大断面図である。
【図２０】同上の１の形態における車椅子の移動を表す斜視図である。
【図２１】同上のガイドレールと介護用ベッドを示す斜視図である。
【図２２】同上の硝子障子位置センサの説明図である。
【図２３】同上の手摺り折りたたみ検知センサの説明図である。
【図２４】同上の可動壁ストッパの外観図である。
【符号の説明】
【００４７】
１    建物
２    部屋
３    側壁
４    可動壁
５    床材
６    天井材
７    手摺り
８Ａ、８Ｂ、８Ｃ  継ぎ床
４２    可動壁支持体
５４    サッシ枠
５５    硝子障子
６１    ウインチ
６３    ワイヤロープ
６４    水平面での角度を変える滑車
６５    垂直面での角度を変える滑車
６６、６６Ａ、６６Ｂ  モータ
９１    ガイドレール
９３    硝子障子位置センサ
９４    手摺り折りたたみ検知センサ